(57)【要約】【課題】  引張強度や耐ホツレ性などのバランスに優れたゴム補強用繊維コードを提供すること。【解決手段】  高弾性率繊維からなる繊維束Ａと、低弾性率繊維からなる繊維束Ｂから構成され、繊維束Ａと繊維束Ｂの重量比率が６５：３５〜９５：５であり、ゴム成分を含有し、（１）破断時の強度が１１．０ｃＮ／ｄｔｅｘ以上、（２）破断時の伸度が５．０％〜８．０％、（３）２．０％伸長時の荷重が４．０ｃＮ／ｄｔｅｘ以下、（４）５．０％伸長時の荷重が６．０ｃＮ／ｄｔｅｘ以上の要件を満たすゴム補強用複合繊維コード。さらには、繊維束Ａと繊維束Ｂが共に下撚りされ、さらに下撚り方向と逆方向に上撚りされていることや、高弾性率繊維が、ガラス繊維、芳香族ポリアミド繊維、カーボン繊維、ポリパラフェニレンベンゾオキザール繊維、芳香族ポリエステル繊維の群から選ばれたいずれか一つの繊維であることや、低弾性率繊維が、ポリアミド繊維またはポリエステル繊維のいずれかであることが好ましい。また本発明は、上記のゴム補強用複合繊維コードを含むゴム製品を包含する。【選択図】  なし【特許請求の範囲】
【請求項１】
高弾性率繊維からなる繊維束Ａと、低弾性率繊維からなる繊維束Ｂから構成され、繊維束Ａと繊維束Ｂの重量比率が６５：３５〜９５：５であり、ゴム成分を含有する複合繊維コードであって、下記要件を満たすことを特徴とするゴム補強用複合繊維コード。
（１）破断時の強度が１１．０ｃＮ／ｄｔｅｘ以上
（２）破断時の伸度が５．０％〜８．０％
（３）２．０％伸長時の荷重が４．０ｃＮ／ｄｔｅｘ以下
（４）５．０％伸長時の荷重が６．０ｃＮ／ｄｔｅｘ以上
【請求項２】
繊維束Ａと繊維束Ｂが共に下撚りされ、さらに下撚り方向と逆方向に上撚りされている請求項１記載のゴム補強用複合繊維コード。
【請求項３】
繊維束Ａの下撚りの撚り係数が１．０〜３．０であり、繊維束Ａと繊維束Ｂを併せた上撚りの撚り係数が２．０〜６．０である請求項２記載のゴム補強用複合繊維コード。
（ただし、「撚り係数＝Ｔ×√Ｄ／１０５５」、ＴＭ；撚り係数、Ｔ；撚り数（回／ｍ）、Ｄ；原糸の繊度（ｔｅｘ）を示す。）
【請求項４】
高弾性率繊維が、ガラス繊維、芳香族ポリアミド繊維、カーボン繊維、ポリパラフェニレンベンゾオキザール繊維、芳香族ポリエステル繊維の群から選ばれたいずれか一つの繊維である請求項１〜３のいずれか１項記載のゴム補強用複合繊維コード。
【請求項５】
低弾性率繊維が、ポリアミド繊維またはポリエステル繊維のいずれかである請求項１〜４のいずれか１項記載のゴム補強用複合繊維コード。
【請求項６】
ゴム成分が、カーボンブラックと酸化亜鉛を含む樹脂またはゴムである請求項１〜５のいずれか１項記載のゴム補強用複合繊維コード。
【請求項７】
内層にレゾルシン・ホルマリン・ラテックス（ＲＦＬ）樹脂が存在するものである請求項１〜６のいずれか１項記載のゴム補強用複合繊維コード。
【請求項８】
高弾性率繊維がエポキシ処理されたものである請求項１〜７のいずれか１項記載のゴム補強用複合繊維コード。
【請求項９】
請求項１〜８のいずれか１項記載のゴム補強用複合繊維コードを含むゴム製品。
【発明の詳細な説明】
【技術分野】
【０００１】
本発明は、ゴム補強用複合繊維コードに関し、さらに詳しくはゴムベルト、タイヤ等のゴム製品の補強用に最適なゴム補強用複合繊維コードに関する。
【背景技術】
【０００２】
ゴムベルト、ゴムタイヤ等のゴム製品の強度、耐久性を向上させるために、補強用繊維をゴム内に埋め込むことが広く一般に行われている。従来、この補強用繊維としては、ガラス繊維、ポリビニルアルコール繊維、ポリエステル繊維、ポリアミド繊維（ナイロン）、芳香族ポリアミド繊維（アラミド）、カーボン繊維、ポリパラフェニレンベンゾオキザール繊維等が、それぞれ単独で広く用いられてきた。
【０００３】
しかし、これらの中で補強性に優れた高剛性繊維を用いた場合には、最終的にゴム製品に成形する際のゴムの変形に繊維が追随せず、成型加工性が大きく劣るという問題があった。逆に成形性を重視して低剛性繊維を用いた場合には、最終的にゴム成形物を使用する際にコードに期待される剛性を、十分に満たすことができなかった。
【０００４】
そこでかかる問題の改善策として、例えば特許文献１〜３には、高剛性繊維と低剛性繊維を用いた複合繊維コードが提案されている。
【０００５】
しかしこのような複合繊維コードは、低荷重領域での伸度は確保しやすいものの、最終的な引張強度は十分に得られないという問題があった。各繊維を均一に撚り合わせるために、どうしても高剛性繊維の含有率が低くなりやすいことや、強い撚りを施す必要があり、剛性が低下しやすかったのである。
【０００６】
また、補強用繊維を含んだゴム材料は、一旦成形後に切断された場合に、その切断面において繊維がほつれるという問題があった。ことにこの現象は、コードがベルト側面に露出するローエッジタイプの摩擦伝導ベルトや歯付ベルトといった伝動ベルト等の繊維補強ゴム複合材料で顕著であった。複合体のマトリックスを構成するゴムが変形しやすいために、特に追随して変形しにくい高強力の補強用繊維が複合材料の端面から露出し、ホツレを生じやすい。
【０００７】
高強度、高弾性率、寸法安定性、耐熱性および耐薬品性等の優れた特性を有する高剛性繊維が、これらの特性を活かしタイヤ、ホース、ベルト等の用途のゴム補強用繊維として期待されているが、高剛性繊維はその表面が比較的不活性であることが多く、そのままではゴムや樹脂等のマトリックスとの接着性が不十分であり、高剛性繊維の特性を十分に発揮することはできなかった。
【０００８】
ゴム補強用の繊維コードとして、引張強度や耐ホツレ性などのバランスに優れたゴム補強用繊維コードの開発が求められているのである。
【先行技術文献】
【特許文献】
【０００９】
【特許文献１】特開２００３−３２６９１５号公報
【特許文献２】特開平０１−２４７２０４号公報
【特許文献３】特開２００９−１３２３２４号公報
【発明の概要】
【発明が解決しようとする課題】
【００１０】
そこで、本発明の目的は、上記従来技術の問題点を解決し、引張強度や耐ホツレ性などのバランスに優れたゴム補強用繊維コードを提供することにある。
【課題を解決するための手段】
【００１１】
本発明のゴム補強用複合繊維コードは、高弾性率繊維からなる繊維束Ａと、低弾性率繊維からなる繊維束Ｂから構成され、繊維束Ａと繊維束Ｂの重量比率が６５：３５〜９５：５であり、ゴム成分を含有する複合繊維コードであって、下記要件を満たすことを特徴とするゴム補強用複合繊維コードである。
（１）破断時の強度が１１．０ｃＮ／ｄｔｅｘ以上
（２）破断時の伸度が５．０％〜８．０％
（３）２．０％伸長時の荷重が４．０ｃＮ／ｄｔｅｘ以下
（４）５．０％伸長時の荷重が６．０ｃＮ／ｄｔｅｘ以上
さらには、繊維束Ａと繊維束Ｂが共に下撚りされ、さらに下撚り方向と逆方向に上撚りされていることや、繊維束Ａの下撚りの撚り係数が１．０〜３．０であり、繊維束Ａと繊維束Ｂを併せた上撚りの撚り係数が２．０〜６．０であることが好ましい。（ただし、「撚り係数＝Ｔ×√Ｄ／１０５５」、ＴＭ；撚り係数、Ｔ；撚り数（回／ｍ）、Ｄ；原糸の繊度（ｔｅｘ）を示す。）
また、高弾性率繊維が、ガラス繊維、芳香族ポリアミド繊維、カーボン繊維、ポリパラフェニレンベンゾオキザール繊維、芳香族ポリエステル繊維の群から選ばれたいずれか一つの繊維であることや、低弾性率繊維が、ポリアミド繊維またはポリエステル繊維のいずれかであることが好ましく、さらには、ゴム成分が、カーボンブラックと酸化亜鉛を含む樹脂またはゴムであることや、内層にレゾルシン・ホルマリン・ラテックス（ＲＦＬ）樹脂が存在するものであること、高弾性率繊維がエポキシ処理されたものであることが好ましい。
さらに本発明は、上記のゴム補強用複合繊維コードを含むゴム製品を包含する。
【発明の効果】
【００１２】
本発明によれば、引張強度や耐ホツレ性などのバランスに優れたゴム補強用繊維コードが提供される。
【発明を実施するための形態】
【００１３】
本発明のゴム補強用複合繊維コードは、高弾性率繊維からなる繊維束Ａと、低弾性率繊維からなる繊維束Ｂから構成される複合繊維コードである。そして繊維束Ａと繊維束Ｂの重量比率が６５：３５〜９５：５であり、ゴム成分を含有する複合繊維コードであって、下記要件を満たすことを特徴とする。
（１）破断時の強度が１１．０ｃＮ／ｄｔｅｘ以上
（２）破断時の伸度が５．０％〜８．０％
（３）２．０％伸長時の荷重が４．０ｃＮ／ｄｔｅｘ以下
（４）５．０％伸長時の荷重が６．０ｃＮ／ｄｔｅｘ以上
【００１４】
この本発明の複合繊維コードにおいて、それを構成する高弾性率繊維としては、原糸の弾性率が３００ｃＮ／ｄｔｅｘ以上の繊維であることが好ましい。また、低弾性率繊維としては原糸の弾性率が３００ｃＮ／ｄｔｅｘ未満の繊維であることが好ましい。さらにはこの高弾性率繊維の弾性率としては、ＪＩＳ  Ｌ  １０１７の初期引張抵抗度で示される弾性率が４００〜１２００ｃＮ／ｄｔｅｘの範囲であることが好ましく、一方、低弾性率繊維の弾性率としては１０〜２５０ｃＮ／ｄｔｅｘの範囲であることが好ましい。また高弾性率繊維の弾性率と低弾性率繊維の弾性率の比としては１．５〜２０倍、特には２．０〜１０倍の範囲にあることが好ましい。
【００１５】
またこのような繊維の強度としては複合繊維コードに用いるそれぞれの構成比にもよるが、高弾性率繊維の原糸の破断強度が１０．０〜３０．０ｃＮ／ｄｔｅｘ、低弾性率繊維の破断強度が２．０〜１０．０ｃＮ／ｄｔｅｘの範囲にあることが好ましい。さらには高弾性率繊維の原糸の破断強度が１５．０〜２５．０ｃＮ／ｄｔｅｘ、低弾性率繊維の破断強度が３．０〜９．０ｃＮ／ｄｔｅｘの範囲にあることが特に好ましい。
【００１６】
このような本発明にて使用される高弾性率繊維の具体例としては、ガラス繊維、芳香族ポリアミド繊維（アラミド繊維）、カーボン繊維、ポリパラフェニレンベンゾオキザール繊維、芳香族ポリエステル繊維等を挙げることができる。中でも本発明に用いる高弾性率繊維としては、芳香族ポリアミド繊維であることが好ましい。
【００１７】
さらに芳香族ポリアミド繊維の中でも、パラ型芳香族ポリアミド繊維が耐熱性と強度にさらに優れているためより好ましい。パラ型芳香族ポリアミド繊維は、芳香族ポリアミドの延鎖結合が共軸または平行であり、かつ反対方向に向いているポリアミドの繊維である。具体的には、ポリパラフェニレンテレフタルアミド繊維（例えば、テイジンアラミドＢ．Ｖ．製「トワロン」）や、共重合型の芳香族ポリアミド繊維であるコポリパラフェニレン・３，４’−オキシジフェニレンテレフタルアミド繊維（例えば、帝人株式会社製「テクノーラ」）を例示することができる。
【００１８】
またこのような芳香族ポリアミド繊維としては、芳香族ホモポリアミドからなるものと、芳香族コポリアミドからなるものが知られているが、本発明では、耐薬品性に優れた芳香族コポリアミド繊維（共重合芳香族ポリアミド繊維）であることが好ましい。
【００１９】
この場合、芳香族コポリアミドの芳香族基はすべて同一であってもよく、相異なっていてもよい。芳香族基の水素原子は、ハロゲン原子、低級アルキル基、フェニル基で置換されていてもよい。中でも特に、共重合型の芳香族ポリアミド繊維であるコポリパラフェニレン・３，４’−オキシジフェニレンテレフタルアミド繊維（例えば、帝人（株）製「テクノーラ」）が、疲労耐久性に優れるために特に好ましい。
【００２０】
上記のような芳香族ポリアミド繊維としては、従来から知られているものを用いることができ、知られている方法で製造することができる。例えば特開昭４９−１００３２２号公報、特開昭４７−１０８６３号公報、特開昭５８−１４４１５２号公報および特開平４−６５５１３号公報に記載されている。
【００２１】
本発明の複合繊維コードでは上記のような高弾性率繊維とともに、それよりも弾性率の低い低弾性率繊維を共に用いることが必要である。
【００２２】
本発明にて用いられる低弾性率繊維としては、特に限定されるものではなく、汎用の合成繊維を広く用いることができる。より具体的にはナイロン６やナイロン６６、ナイロン４６等で知られる脂肪族ポリアミド繊維、ポリエチレンテレフタレートやポリエチレンナフタレート等で知られるポリエステル繊維、ビニロンとして知られるポリビニリアルコール繊維、あるいはレーヨン繊維、等が挙げられる。
【００２３】
中でも本発明に用いられる低い弾性率の繊維としては有機繊維であることが好ましく、特に低弾性率で比較的強度にも優れ、またゴムやゴム用の接着剤との接着性に優れる脂肪族ポリアミド繊維が好ましく用いられ、特にナイロン６６繊維を用いることが好ましい。
【００２４】
本発明の複合繊維コードは、上記のような相対的な意味での高弾性率繊維と低弾性率繊維とを用い、高弾性率繊維からなる繊維束Ａと、低弾性率繊維からなる繊維束Ｂから構成される。この時、高弾性率繊維と低弾性率繊維との重量比率としては、６５：３５〜９５：５の範囲であることが必要である。高弾性率繊維の比率が低すぎると、強度や高伸長領域での弾性率が低くなる。また、高弾性率繊維の比率が逆に高すぎても、低伸長領域での弾性率が高くゴムとの加硫時の伸長性が悪くなり、成型性の悪い複合コードとなる。
【００２５】
本発明の複合繊維コードとしては、高弾性率の繊維と、低弾性率の繊維を特定の比率にて撚糸することで、例えば０〜２％程度の低伸長領域では低弾性率繊維由来の低い弾性率を示し、例えば３％以上の高伸長領域で高弾性率繊維由来の高い弾性率を示す複合コードを得ることが可能となる。
【００２６】
さらには本発明の複合繊維コードとしては、破断時の強度が１１．０ｃＮ／ｄｔｅｘ以上、破断時の伸度が５．０％〜８．０％、２．０％伸長時の荷重が４．０ｃＮ／ｄｔｅｘ以下、かつ５．０％伸長時の荷重が６．０ｃＮ／ｄｔｅｘ以上であることが必要である。さらには破断時の強度としては、１１．５〜２０．０ｃＮ／ｄｔｅｘであることが好ましい。また、２．０％伸長時の荷重は０．５〜４．０ｃＮ／ｄｔｅｘ、５．０％伸長時の荷重が１０．０〜１５．０ｃＮ／ｄｔｅｘの範囲であることが好ましい。
【００２７】
このように高強力の繊維コードであるにも関わらず、２．０％までの低伸長時の荷重や弾性率を低く抑えることにより、加工性、特に低弾性率のゴムとの加工性を良くすることが可能となった。また２．０〜５．０％までの実用的な伸長時の弾性率を高くすることにより、本発明の複合繊維コードによって補強されたゴム製品は、優れた耐疲労性を確保することが可能となった。本発明の複合繊維コードは、成型加工時の伸張によるゴム組成物成形性と、その後のゴム成形物使用時の剛性を、同時に満たすことが可能となったのである。
【００２８】
さらに本発明のゴム補強用複合繊維は、繊維束Ａと繊維束Ｂが共に下撚りされ、さらに下撚り方向と逆方向に上撚りされていることが好ましい。さらには繊維束Ａの下撚りの撚り係数が１．０〜３．０であり、繊維束Ａと繊維束Ｂを併せた上撚りの撚り係数が２．０〜６．０であることが好ましい。
（ただし、「撚り係数＝Ｔ×√Ｄ／１０５５」、ＴＭ；撚り係数、Ｔ；撚り数（回／ｍ）、Ｄ；原糸の繊度（ｔｅｘ）を示す。）
【００２９】
本発明ではこのように複数回の逆方向の撚りをかけることによって、本発明の複合繊維コードは、最終的にゴム製品とした時に屈曲時に単糸に加わる応力が分散され、耐屈曲疲労性が向上する。また、複数回の撚りを施すことによって、複合繊維コード中で単糸の傾きを制御し、初期の引張強力の低下を抑えることができるようになった。また、弾性率の低い繊維の配合率を下げることによって、伸長時にはまず低弾性率の繊維がより優先的に伸長されることで低弾性率を示し、引張時の途中段階からは配合比率の高い高弾性率の繊維に応力を負担させ、十分な高い物性を得ることができるようになったのである。
【００３０】
このように高弾性率繊維と、それよりも低い弾性率の繊維を用いてさらに撚りを掛ける撚糸処理が施されている。撚りを掛けるほど繊維コードでの単糸の配向が傾くため、初期の引張強力は低下する一方で、屈曲時に単糸に加わる応力が分散され、繊維コードの耐屈曲疲労性が向上する。
【００３１】
撚りの態様としては、高弾性率繊維とそれよりも低い弾性率の繊維のそれぞれの単繊維の１本または複数本を引き揃えて、Ｓ方向またはＺ方向の片側（片撚り）に撚りを施し、高弾性率繊維の下撚り糸と高弾性率繊維よりも低い弾性率の繊維の下撚り糸を準備した後、それの下撚り糸をさらに複数本引き揃えて、片撚りの方向と同じ方向の上撚り（ラング撚り）、または反対方向の上撚り（諸撚り）を施す。特に本発明では、高弾性率繊維の下撚りと高弾性率繊維とよりも低い弾性率の繊維の下撚りコードを併せる上撚りの方向が反対方向となるように撚りを施している。弾性率の異なる下撚り糸同士を併せて上撚りした複合コードとすることで、伸長時に、まず低弾性率の繊維がより優先的に伸長されることで低弾性率を示し、途中から高弾性率の繊維の応力負担が大きくなり、高弾性率を示す理想的な機械物性を有する複合コードが得られる。
【００３２】
本発明の繊維コードの好ましい撚り数は、下記式の撚り係数（ＴＭ）にて規定される。高弾性率繊維の下撚りの撚り係数（ＴＭ）は、１．０〜３．０が好ましく、高弾性率繊維と高弾性率繊維よりも低い弾性率の繊維の下撚りコードを併せる上撚りは、高弾性率繊維の下撚り方向と逆方向の上撚りで、上撚りの撚り係数（ＴＭ）が、２．０〜６．０であることが好ましい。高弾性率繊維の下撚りの撚り係数や撚り方向に比べ、低弾性率繊維の影響度は小さい。
【００３３】
上撚りの撚り係数（ＴＭ）が高くすることにより、下撚り糸の傾きが大きくなり、複合コード全体の弾性率を低下させることができる。また高弾性率繊維の下撚りの撚り係数（ＴＭ）を下げることにより、下撚り糸構造内の高弾性率繊維の単繊維の傾きが小さくなり、複合コード全体、特に３％以上の高伸長領域での弾性率を高くすることができる。さらに、上撚りの撚り係数（ＴＭ）と高弾性率繊維の下撚りの撚り係数（ＴＭ）の差異を小さくすることで、最終的に得られる複合繊維コードにおいて、高弾性率繊維の単繊維が複合コードの軸方向に向き、複合繊維コードの引張強度を高くすることができる。本発明の複合繊維コードは、これらのバランスを最適にすることにより、より補強性に優れたコードを得ることが可能となった。
ＴＭ  ＝  Ｔ×√Ｄ／１０５５
（ただし、ＴＭは撚り係数、Ｔは撚り数（回／ｍ）、Ｄは総繊度（ｔｅｘ）を表す。）
この計算式は、一般的に綿の紡績糸に使用される計算式であるＫ＝ｔ／√Ｎ  （Ｋは撚係数、ｔは撚数ｔ／ｉｎｃｈ（２４．５ｍｍ）、Ｎは綿番手）において、綿の比重を芳香族ポリアミド繊維の比重に変更し、綿番手を繊度（ｔｅｘ）に変換して、再計算したものである。
【００３４】
さて、本発明の複合繊維コードでは、さらにその複合繊維コードが、ゴム成分を含有することが必要である。高弾性率繊維を含有する複合繊維コードは、一般にゴムとの反応性や接着力が低いためである。ここでゴム成分としては、水系や溶剤系のゴム糊に由来しても良いし、合成繊維とゴムとの接着性の向上に汎用的に用いられるレゾルシン・ホルマリン・ラテックス樹脂（以下「ＲＦＬ樹脂」ということがある）に由来するゴムラテックス成分であっても良い。
【００３５】
ゴム成分の付着量としては５．０重量％以上であることが好ましく、さらには６．０〜１５．０重量％の範囲にあることが好ましい。付着量が少なすぎると、このゴム成分の最終的に繊維ゴム複合体としたときに、マトリックスゴム中への拡散が不十分となりやすく、接着力が向上しにくい傾向にある。逆に多すぎると、ゴム中に拡散できない過剰な層となり、この層で凝集破壊が起こりやすく、この場合も接着力が低下する傾向にある。
【００３６】
特にこのような本発明の複合繊維コードのゴム成分としては、その複合繊維コードの最外層のゴム成分として、カーボンブラックと酸化亜鉛を含む樹脂またはゴムであることが好ましい。これは例えば水系や溶剤系のゴム糊として、カーボンブラックと酸化亜鉛を含ませることができる。例えばゴム糊を用いる場合、最外層として繊維コードの表面に、ゴム糊に由来する被膜を形成させることが好ましい。
【００３７】
この最外層の被膜の重量としては、繊維コード重量全体に対して５〜１５重量％であることが好ましい。また撚糸を行った後に処理することによって、複合繊維コードの内部には存在せず、基本的に最外層にのみ存在することが好ましい。
【００３８】
さらにこのような最外層の被膜としては、特にはカーボンブラックと酸化亜鉛とを含む塩素含有樹脂（ハロゲン含有ポリマー）であることが好ましい。このような塩素含有樹脂としては、塩素化天然ゴム、ポリクロロプレン、塩素化ポリクロロプレン、塩素化ポリブタジエン、ヘキサクロロペンタジエン、塩素化ブタジエンスチレン共重合体、塩素化エチレンプロピレン共重合体及びエチレン／プロピレン／非共役ジエン三元共重合体、塩素化ポリエチレン、クロロスルホン化ポリエチレン、ポリ（２，３−ジクロロ−１，３−ブタジエン）、塩素化されたポリ（塩化ビニル）等が好ましく、クロロスルホン化ポリエチレンが特に好ましい。被膜における塩素含有樹脂の含有量は、被膜の重量を基準として例えば３０〜９５重量％、好ましくは５０〜９５重量％である。この範囲であると、さらに良好な接着力を得ることができる。
【００３９】
被膜におけるカーボンブラックの含有量は、被膜の重量を基準としては、好ましくは０．５〜１０重量％、さらに好ましくは１〜５重量％であり、酸化亜鉛の含有量は、被膜の重量を基準として好ましくは１〜２０重量％、さらに好ましくは５〜１５重量％であることが好ましい。
【００４０】
さらにこの被膜には、塩素含有樹脂、カーボンブラックおよび酸化亜鉛に加えて、ブロックドポリイソシアネート化合物などの架橋剤を添加することも好ましい。特にゴム成分として、レゾルシン・ホルマリン・ラテックス樹脂を併用した場合、それとの親和性がさらに向上し、より高い接着力が得られる。
【００４１】
このような最外層のゴム成分となる被膜としては、例えばゴムを有機溶剤に溶解させたゴム糊や、クロロスルホン化ポリエチレンやハロゲン含有ポリマーなどの、溶剤系接着剤または水系接着剤を用いて、複合繊維コードの表面に設けることができる。そのような溶剤系接着剤や水系接着剤は市販品を用いることもでき、例えば株式会社  東洋化学研究所製の「メタロックＦ１１２」、ＬＯＲＤ社（ＬＯＲＤ  Ｃｏｒｐｏｒａｔｉｏｎ）製の「ＣＨＥＭＬＯＫ  ＣＨ２３３Ｘ」、「ＣＨＥＭＬＯＫ  ＣＨ２３８Ｓ」、「ＣＨＥＭＬＯＫ  ＣＨ８２１６」を用いることができる。特に取扱い性の面では、水系接着剤であることが好ましく、例えば塩素含有樹脂とカーボンブラックと酸化亜鉛を含有する「ＣＨＥＭＬＯＫ  ＣＨ８２１６」を好適に用いることができる。このような水系の接着剤を使用することで、実質的にその製造工程において有機溶剤を一切使用せずに環境負荷の少ない製造工程を実現することができる。
【００４２】
これらの接着剤に由来するゴム成分は、ゴム補強用複合繊維コードの被着体となるゴム中に拡散および相互作用し、ゴムマトリックスの剛性や凝集力を向上させ、複合コードとの剛性の差異を低減させる効果を有する。複合コードとゴムマトリックスとを一体化させ、接着力を向上させることが可能となるのである。
【００４３】
また本発明の複合繊維コードのゴム成分としては、レゾルシン・ホルマリン・ラテックス樹脂系接着剤中のゴムラテックスに由来するものであることも好ましい。特に内層にレゾルシン・ホルマリン・ラテックス（ＲＦＬ）樹脂が存在するものであることが好ましい。内層とは最外層のゴム成分となる被膜の内側を意味し、特には一旦ＲＦＬ処理した後で撚糸し、複合繊維コードの内層に存在するものであることが好ましい。このようなレゾルシン・ホルマリン・ラテックス樹脂を含むことにより優れた接着力が得られ、その含有量そしては複合繊維コード全体の重量に対して５〜１５％ほど存在していることが好ましい。
【００４４】
またそのように内層にＲＦＬ樹脂が存在するためには、本発明のゴム補強用複合コードにおいては高弾性率繊維と、低弾性率繊維には撚りが掛けられているが、このための撚糸処理を、レゾルシン・ホルマリン・ラテックス樹脂を繊維に含有させる処理の後に施すことが好ましい。含有させる処理の前に撚りを施すと、撚りをかけた後にレゾルシン・ホルマリン・ラテックス樹脂を多量に含む粘度の高い溶液に撚糸コードに接触させることになり、撚りを掛けられた撚糸コードの内部（単糸と単糸の間や単糸束と単糸束との間）への樹脂の含浸が困難となり、耐ほつれ性が低下してしまう。
【００４５】
なお、レゾルシン・ホルマリン・ラテックス樹脂を高弾性率繊維と低弾性率繊維に含有させる処理を行う前に、繊維の単繊維の広がりを抑制し取扱い性を保つために、まず撚り係数ＴＭ＝０．１以下のわずかな撚りを施し、その後にレゾルシン・ホルマリン・ラテックス樹脂の溶液に浸漬するなどして接触させて、レゾルシン・ホルマリン・ラテックス樹脂を含有させる処理をし、その後にさらに撚りを施して繊維コードにする態様も、繊維コードの内部への樹脂の含浸が困難になることはなく、良好な耐ホツレ性を得ることができるので好ましい。
【００４６】
ここで好適に用いられるより具体的なレゾルシン・ホルマリン・ラテックス樹脂としては、レゾルシンとホルムアルデヒドのモル比が１：０．６〜１：８の範囲にあるものが好ましく、１：０．８〜１：６の範囲にあるものがさらに好ましい。ホルムアルデヒドの量が少なすぎると、レゾルシン・ホルマリンの縮合物の架橋密度が低下すると共に分子量の低下を招くため、樹脂層の凝集力が低下することにより接着性が低下し、耐屈曲疲労性が低下するおそれがあり好ましくない。他方、ホルムアルデヒドの量が多すぎると、架橋密度上昇によりレゾルシン・ホルマリン縮合物が硬くなり、被着体のゴムとの共加硫時にレゾルシン・ホルマリン・ラテックス樹脂とゴムとの相溶化が阻害され接着性が低下する傾向がある。
【００４７】
レゾルシン・ホルマリン・ラテックス樹脂におけるレゾルシン・ホルマリンとゴムラテックスとの配合比率は、固形分重量比として、レゾルシン・ホルマリン：ゴムラテックスが、好ましくは１：３〜１：１６の範囲、さらに好ましくは１：４〜１：１０である。ゴムラテックスの比率が少ないとゴムとの共加硫成分が少ないため接着力が低下する傾向があり、他方、ゴムラテックスの比率が多すぎると、接着剤被膜として充分な強度を得にくく、接着力や耐久性が低下する傾向がある。また、接着処理した繊維コードの粘着性が高くなり、接着処理工程やベルト成型工程でカムアップや取り扱い性などの工程通過性が低下するおそれがある。
【００４８】
レゾルシンとしては、予めオリゴマー化したレゾルシン−ホルマリン初期縮合物やクロロフェノールとレゾルシンをホルマリンとオリゴマー化した多核クロロフェノール系レゾルシン−ホルマリン初期縮合物を、必要に応じて単独で、あるいは組み合わせて用いてもよい。
【００４９】
本発明の複合繊維コード中のゴム成分ともなるゴムラテックスとしては、例えば、水素添加アクリロニトリルーブタジエンゴムラテックス、アクリロニトリル−ブタジエンラテックス、イソプレンゴムラテックス、ウレタンゴムラテックス、スチレン−ブタジエンゴムラテックス、ビニルピリジン−スチレン−ブタジエンゴムラテックス、クロロプレンゴムラテックス、ブタジエンゴムラテックス、クロロスルホン化ポリエチレンラテックスを例示することができ、これらを単独または併用して使用することができる。樹脂層の強度を高めることができることから、ゴムラテックスとしては、ビニルピリジン−スチレン−ブタジエンゴムラテックス（Ｖｐ−ＳＢＲラテックス）を用いることが特に好ましい。さらには繊維コードの単糸の表面にあらかじめエポキシ化合物を処理し、さらにその表面のＲＦＬ接着剤中のゴムラテックスとしてＶｐ−ＳＢＲラテックスを用いることが、親和性が高め接着性を向上させるためには好ましい。
【００５０】
さらにレゾルシン・ホルマリン・ラテックス樹脂には、架橋剤を併用することも好ましい。架橋剤としては、アミン、エチレン尿素、ブロックドイソシアネート化合物などを例示することができる。なかでも、処理剤の経時安定性がよく、前処理剤との相互作用が良好なことから、ブロックドイソシアネート化合物が好ましい。ブロックドイソシアネート化合物の具体例としては、ジメチルピラゾールブロック、メチルエチルケトンオキシムブロック、カプロラクタムブロックのブロックドイソシアネートを例示することができる。これら二種類以上を組み合わせることも好ましい。
【００５１】
ＲＦＬ接着剤に用いる架橋剤の添加量は、レゾルシン・ホルマリン・ゴムラテックス樹脂の全重量あたり、０．５〜４０重量％であることが好ましい。さらに好ましくは１０〜３０重量％である。添加量を増やすことにより、接着力が向上する。ただし添加量が多すぎると接着剤のゴムに対する相容性が低下し、逆にゴムとの接着力が低下する場合がある。
【００５２】
このようなレゾルシン・ホルマリン・ゴムラテックス樹脂は、本発明の複合繊維コードの最外層のゴム成分としてすべての撚糸後に処理しても良いが、より好ましい態様としては、先に述べた最表面の被膜となるゴム糊成分の内層として用いることが好ましい。
【００５３】
また本発明の複合繊維コードに用いる高弾性率繊維は、上記のようなゴム成分を付着させる前に、あらかじめエポキシ処理を行ったものであることが好ましい。パラ型芳香族ポリアミド繊維を始めとする高弾性率繊維は、一般的に表面が不活性であるため、他の物質と接着しづらいからである。被着体のゴムとの十分な接着性を得るためには、複合繊維コードとする前の各単繊維を、エポキシ化合物で表面処理して用いることが好ましい。このようなエポキシ表面処理を行い、さらにレゾルシン・ホルマリン・ラテックス樹脂を併用した場合、特にマトリックスゴムと繊維との化学的親和性を向上させることができるのである。また高弾性率繊維のみエポキシ処理し、低弾性率繊維はエポキシ処理しない態様も好ましい。低弾性率繊維は比較的表面活性が高く、エポキシ処理しない態様でもエポキシ処理した高弾性率繊維と同等な接着性を発揮し、さらに柔軟な繊維コードを得やすくなる。
【００５４】
このようなエポキシ化合物は、繊維束全体の表面のみにではなく、繊維束を構成する繊維の単糸それぞれの表面に付着していることが好ましい。そのためには、製糸の際など撚糸を行う前に行うことが好ましい。撚糸を一旦行った後では、繊維束の内部の単糸の表面に十分に付着させることが困難になる。
【００５５】
繊維に対するエポキシ化合物の固形分付着量は、繊維の重量を基準として、好ましくは０．０５〜５．０重量％である。さらに好ましくは０．２〜２．０重量％である。付着量が少ないと単糸の表面に形成されるエポキシ樹脂の層が薄くなり、繊維の単糸同士の密着性や、単糸とその後付与するレゾルシン・ホルマリン・ラテックス樹脂等との密着性を得ること困難な傾向にある。他方、付着量が多すぎると、エポキシ樹脂によって単糸同士が強く集束されてしまい、結果的に繊維コードが硬くなり、耐屈曲疲労性が低下する傾向にある。
【００５６】
このような繊維の表面処理に用いるエポキシ化合物としては、具体的には、エチレングリコール、グリセロール、ソルビトール、ペンタエリスリトール、ポリエチレングリコール等の多価アルコールとエピクロルヒドリンの如きハロゲン含有エポキシドとの反応生成物、レゾルシン、ピス（４−ヒドロキシフェニル）ジメチルメタン、フェノール・ホルムアルデヒド樹脂、レゾルシン・ホルムアルデヒド樹脂等の多価フェノールと前記ハロゲン含有エポキシドとの反応生成物、過酢酸または過酸化水素等で不飽和化合物を酸化して得られるポリエポキシド化合物、すなわち３，４−エポキシシクロヘキセンエポキシド、３，４−エポキシシクロヘキシルメチル−３，４−エポキシシクロヘキセンカルボキシレート、ビス（３、４−エポキシ−６−メチル−シクロヘキシルメチル）アジベートを挙げることができる。
【００５７】
これらのうち、多価アルコールとエピクロルヒドリンとの反応生成物が特に好ましく、多価アルコールのポリグリシジルエーテル化合物のようなポリエポキシド化合物と硬化剤により生成される化合物も好ましい。ポリエポキシド化合物を用いる場合には、乳化剤、例えばアルキルベンゼンスルフォン酸ソーダ、ジオクチルスルフォサクシネートナトリウム塩を用いて、乳化液としてもよい。
【００５８】
ポリエポキシド化合物には、アミン系やイミダゾール系の硬化剤、ポリイソシアネートとオキシム、フェノール、カプロラクタムなどのブロック化剤との付加化合物であるブロックドポリイソシアネート、エチレンイミンとの反応化合物であるエチレン尿素を併用してもよい。
【００５９】
ポリエポキシ化合物を用いる場合、ポリエポキシド化合物の重量をＡ重量部とし、硬化剤、ブロックドポリイソシアネートおよびエチレン尿素の重量をＢ重量部としたときの両者の関係が、０．０５≦（Ａ）／〔（Ａ）＋（Ｂ）〕≦０．９の条件を満たすことが好ましい。この範囲であると、特に良好な接着性を得ることができる。
【００６０】
特にこのエポキシ処理は先に述べたＲＦＬ処理と併用することが好ましく、エポキシ化合物の処理の後にレゾルシン・ホルマリン・ゴムラテックス樹脂の処理を行うことが好ましい。これらの処理はその目的に応じ、共に撚糸処理の前に実施しても良いし、撚糸処理の後、または前後に実施することも好ましい。
【００６１】
特に好ましくは、製糸工程で予めエポキシ化合物で処理された原糸について、撚糸処理の前にＲＦＬ処理を実施し、さらに撚糸後にゴム糊処理を行う方法である。そのように処理することで、より繊維束内部に各種接着剤成分が含浸するため、良好な接着力及び耐ほつれ性が得られ、好ましい。
【００６２】
本発明のゴム補強用複合繊維コードにおいては、このような接着剤等の各種の成分の繊維コードへの総付着量としては、複合コード中の繊維以外の付着物の総量が、繊維重量当たり１０．０〜２５．０重量％であることが好ましい。
【００６３】
本発明の複合繊維コードは、高弾性率繊維からなる繊維束Ａと、低弾性率繊維からなる繊維束Ｂから構成される複合繊維コードであって、上記のような接着剤成分由来のゴム成分を含有するものであって、所望の物性を有するものである。
【００６４】
また、本発明のゴム補強用の繊維複合コードは、ＪＩＳ  Ｋ７０１７の３点曲げ装置にて測定される曲げ強さとして、２０ＭＰａ以下であることが好ましい。さらには０．５〜１０ＭＰａの範囲にあることが好ましい。ＪＩＳ  Ｋ７０１７の３点曲げ装置にて測定される曲げ強さは、コードの硬さに比例するが、大きすぎると（硬すぎると）、最終的にゴム製品にした時の耐屈曲疲労性が低下する傾向にある。本発明のコードは、基本特性に加えてさらにコードを柔軟にすることによって、繊維単糸間の集束が緩やかになり、繊維の屈曲歪や結晶構造におけるキンクバンドの発生を減少させることが可能となる。特に高弾性率繊維として、分子構造が剛直な芳香族ポリアミド繊維を用いた場合に、有効である。
【００６５】
このような柔軟な繊維コードを得るためには、表面に処理される接着剤成分を変更するほか、その処理工程において、繊維コードに緩やかな屈曲等を与えて柔軟化処理を行うことが効果的である。特にエポキシ化合物、レゾルシン・ホルマリン・ラテックス樹脂、ゴム糊等の接着剤成分の中でも、繊維コードに緩やかな屈曲を与えることで過剰に付着しているレゾルシン・ホルマリン・ラテックス樹脂の層を物理的に破壊する柔軟化工程を採用することが効果的である。
【００６６】
このような本発明のゴム補強用複合繊維コードの製造方法としては、高弾性率繊維からなる繊維束Ａと、低弾性率繊維からなる繊維束Ｂから構成される複合繊維コードの製造方法であって、繊維束Ａと繊維束Ｂに撚りや合糸を行い、その撚りの後または途中工程にてゴム成分を付着処理する製造方法を採用することができる。
【００６７】
さらに特に好ましくは、高弾性率繊維にエポキシ化合物を処理し、さらにレゾルシン・ホルマリン・ラテックス（ＲＦＬ）樹脂を付着させた下撚り糸と、高弾性率繊維よりも低い弾性率の繊維にレゾルシン・ホルマリン・ラテックス（ＲＦＬ）樹脂を付着させた下撚り糸とを併せて上撚りした後、その表面にカーボンブラックと酸化亜鉛を含む樹脂および又はゴム皮膜を付着させることで得ることが可能である。
【００６８】
高弾性率繊維や低弾性率繊維及びそれらの繊維からなる高弾性率繊維からなる繊維束Ａと、低弾性率繊維からなる繊維束Ｂは、それぞれ前述したものを用いることができる。
【００６９】
繊維に付着処理するゴム成分としては、前述したゴム糊またはＲＦＬ樹脂由来の成分を用いることができる。さらには繊維があらかじめエポキシ化合物処理されていることや、最表面に溶剤系または水系のゴム糊処理を行うことが好ましい。特には中間段階にてＲＦＬ処理を行うことや、エポキシ化合物処理、ＲＦＬ処理、ゴム糊処理を順に行うことが好ましい。
【００７０】
本発明の複合繊維コードの製造方法に好ましく用いられる表面処理の方法を、さらに詳細に述べる。
【００７１】
まずは、好ましい態様の一つである、高弾性率繊維を、エポキシ化合物で表面処理をする方法を群述する。この処理は、特に高弾性率繊維としてパラ型芳香族ポリアミド繊維を用いる場合に、特に好適である。
【００７２】
エポキシ化合物を繊維に表面処理する際には、エポキシ化合物を含む溶液を各繊維の製糸工程で油剤と混合して繊維の単糸に付着させることができる。あるいは、各繊維の製糸後、製糸工程とは別の工程で、エポキシ化合物を含む油剤（乳化剤）を各繊維の単糸に付着させ、加熱処理することが好ましい。熱処理する場合、油剤付着処理後１００〜２５０℃の温度で１０〜１２０秒間熱処理することが好ましい。
【００７３】
例えば、ポリエポキシド化合物を用いて表面処理する場合、ポリエポキシド化合物と、硬化剤、ブロックドポリイソシアネートもしくはエチレン尿素とを含む乳化液を、芳香族ポリアミド繊維等の各繊維の製糸工程で、油剤と混合して繊維の単糸に付着させ、または各繊維の製糸後、製糸工程とは別の工程でこの油剤（乳化剤）を繊維の単糸に付着させ、油剤の付着後に、１００〜２５０℃の温度で１０〜１２０秒間の熱処理をすることが好ましい。
【００７４】
また、レゾルシン・ホルマリン・ラテックス樹脂からなる接着剤を処理する方法としては、レゾルシン・ホルマリン・ラテックス樹脂やそれを含む溶液を繊維にローラーで接触させる、ノズルから溶液を繊維に噴霧して塗布する、溶液に繊維を浸漬するといった手段を採用することができる。
【００７５】
レゾルシン・ホルマリン・ラテックス樹脂の含有量を制御するためには、圧接ローラーによる絞り、スクレバーによるかき落とし、空気吹きつけによる吹き飛ばし、吸引、ビーターなどの手段を用いることができる。含有量を増加するためには、複数回、繊維に付着させてもよい。
【００７６】
レゾルシン・ホルマリン・ラテックス樹脂は、この樹脂を含む溶液に、処理すべき繊維を接触、例えば浸漬や塗布した後、乾燥、熱処理を行うことで含有させることができる。熱処理条件としては、例えば１００℃〜２５０℃の温度で６０〜３００秒間の乾燥、熱処理を行うことが好ましい。さらには、１００〜１８０℃の温度での６０〜２４０秒間の乾燥、次いで２００〜２４５℃の温度での６０〜２４０秒間の多段の熱処理を行うことが好ましい。
【００７７】
乾燥および熱処理の温度が低すぎると、最終的に得られる複合コードと、ゴム補強の場面で使用されるゴムとの接着が不十分となる傾向にある。他方、乾燥および熱処理の温度が高すぎると、レゾルシン・ホルマリン・ラテックス樹脂が高温下で空気酸化され、得られる複合コードとゴム補強の場面で使用させるゴムとの接着活性が低下する傾向がある。
【００７８】
本発明のゴム補強用複合繊維コードの製造方法では、高弾性率繊維からなる繊維束Ａと、低弾性率繊維からなる繊維束Ｂに撚りを掛けることが必須である。上記の表面処理であるレゾルシン・ホルマリン・ラテックス樹脂による処理を、撚りをかける前に施した場合、レゾルシン・ホルマリン・ラテックス樹脂を多量に含む粘度の高い溶液がより含浸しやすく、接着性が向上する傾向にある。そして撚りを掛けたのちに、さらにその表面にゴム糊処理を行うことが好ましく、複合繊維コード表面のゴム成分は、ゴム糊由来のものとなり、内層のゴム成分がＲＦＬ中のゴムラテックス由来のものとなる。
【００７９】
なお、レゾルシン・ホルマリン・ラテックス樹脂を、高弾性率繊維Ａと、低弾性率繊維Ｂに含有させる処理を行う前に、繊維の単繊維の広がりを抑制し取扱い性を保つために、まず撚り係数ＴＭ＝０．１以下のわずかな撚りを施し、その後にレゾルシン・ホルマリン・ラテックス樹脂の溶液に浸漬するなどして接触させて、レゾルシン・ホルマリン・ラテックス樹脂を含有させる処理をし、その後にさらに撚りを施して繊維コードにする態様は、工程通過性や作業性が向上し、繊維コードの内部への樹脂の含浸も容易であるために好ましく、特に良好な接着性を得ることができる方法である。
【００８０】
本発明の複合コードの製造方法についての好ましい具体的な態様の一つとしては下記のような方法がある。第一に高弾性率繊維Ａの表面をエポキシ化合物で表面処理し、その後、単繊維に実質的に意図的な撚りを施すことなく、レゾルシン・ホルマリン・ラテックス樹脂を含む溶液に浸漬処理する。そしてこの高弾性率繊維Ａにレゾルシン・ホルマリン・ラテックス（ＲＦＬ）樹脂を付着させた下撚り糸と、低弾性率繊維Ｂにレゾルシン・ホルマリン・ラテックス（ＲＦＬ）樹脂を付着させた下撚り糸とを併せて上撚りした後、その表面にカーボンブラックと酸化亜鉛を含む樹脂および又はゴム皮膜を付着させる方法である。
【００８１】
特には本発明の複合繊維コードの最表面には、上記のように樹脂および／またはゴムからなりカーボンブラックと酸化亜鉛とを含む被膜を設けることが好ましい。方法としては、これらの成分を含む溶液に繊維コードを接触させ、乾燥する方法が適用できる。より具体的には、例えば複合繊維コードを処理液に浸漬し、その後８０〜１８０℃の温度で６０〜３００秒間の乾燥および熱処理することが好ましい。乾燥および熱処理の温度が不足すると乾燥が不十分となり、工程通過性が悪化する傾向にある。他方、乾燥および熱処理の温度が高すぎると、接着成分が高温下で失活し、接着活性が低下してしまう傾向がある。
【００８２】
製造方法としてはさらにレゾルシン・ホルマリン・ラテックス樹脂を含有させる工程等において、繊維コードに緩やかな屈曲を与えることで、過剰に付着しているレゾルシン・ホルマリン・ラテックス樹脂の層を破壊する柔軟化を行うことも効果的である。
【００８３】
このような本発明のゴム補強用複合繊維コードは、引張強度、加硫時の伸長性、耐ホツレ性、屈曲疲労性、ゴム接着力を兼ね備えた、特に伝動ベルトの心線として好適に用いられるゴム補強用複合コードを提供することができる。特に本発明の複合繊維コードは、ベルト側面に露出する摩擦伝動ベルトや歯付ベルトの心線として好適に用いることができ、特に加硫時に伸長性が求められる難成形性の伝動ベルトの心線として、好適に用いることができる。また、耐久性と破断強力の向上により、伝動ベルトの長寿命化をはかれる他、伝動ベルトの小型化と細幅化により、軽量化や伝達効率の向上により省エネルギー化を達成することができる。
【実施例】
【００８４】
以下、実施例をあげて本発明を説明する。なお、本発明の実施例における評価は下記の測定法で行った。レゾルシン・ホルマリン・ラテックス樹脂は「ＲＦＬ」と略すことがある。
【００８５】
（１）コード繊度およびコード径
ＪＩＳ  Ｌ１０１７に準じて測定して、コード繊度（重量）およびコード径（コードゲージ）を測定した。
【００８６】
（２）曲げ強さ
繊維コードについてＪＩＳ  Ｋ７０１７の３点曲げ装置にて測定した。応力は以下の式で計算した。エッジスパン長は２５ｍｍで試験速度は２５ｍｍ／ｍｉｎ．で実施した。
［曲げ強さ］＝（［曲げ荷重］×８Ｌｖ）／（π×Ｄ３）
（但し、Ｌｖはエッジスパン長、Ｄはコードゲージ（コード径）を表す。）
【００８７】
（３）引張強度、破断伸度、２．０％伸長時の荷重、５．０％伸長時の荷重
ＡＳＴＭ  Ｄ８８５に準じて引張試験を実施し、測定した。最終的な処理をした繊維コードの繊度を使用して計算した。破断伸度は、高弾性率繊維の破断時の伸度とし、高弾性率繊維の破断後に、低弾性率繊維が破断せずに残った場合の伸度は、考慮しないこととした。
【００８８】
（４）繊維コードの剥離接着力
剥離接着力は繊維コードとゴムとの剥離接着力を示す値である。ゴムシート表層近くに７本の繊維コードを埋め、温度１５０℃で３０分間、１ＭＰａのプレス圧力で加硫し、次いで両端の２本の繊維コードを取り除き、残りの５本の繊維コードをゴムシートから２００ｍｍ／分の速度で剥離し、そのときに要した力を繊維コード本数で割り、繊維コード１本当たりの接着力を算出した。評価に用いるゴムとしては、下記の配合組成で作製したＥＰＤＭゴムを用いた。
（ＥＰＤＭゴムの配合組成）
エチレン−プロピレン−ジエンゴム：  １００重量部
カーボンブラック：                  ３５重量部
酸化亜鉛：                            ５重量部
ステアリン酸：                        １重量部
老化防止剤：                          ２重量部
シリカ：                            ２０重量部
加硫促進剤：                          ２重量部
レゾルシン・ホルマリン共重合体：      ２重量部
ヘキサメトキシメチロールメラミン：    ２重量部
硫黄：                                １重量部
【００８９】
（５）繊維コードの屈曲疲労後強力保持率
繊維コードに０．４ｃＮ／ｄｔｅｘの荷重をかけて直径１０ｍｍφのローラーに取り付け、１００ｒｐｍの往復運動をさせ、１００，０００回の繰返し屈曲を行ったのち、繊維コードを取り出して残強力を測定し、屈曲疲労後強力保持率を求めた。
【００９０】
（６）耐ホツレ性
繊維コードを埋法したゴム成型体を１°傾けた状態で切断した後、コード中央で切断された部分の断面に露出した繊維コードをサンドペーパーで１０回こすった後の集束状態を目視および光学顕微鏡で観察して、耐ほつれ性を評価した。耐ほつれ性は、以下の３段階で評価判定した。評価に用いるゴムとしては、上記（４）で剥離接着力の評価に用いたＥＰＤＭゴムを用いた。
○：  繊維コードのフィラメントが集束しており外観上の異常は認められず良好。
△：  繊維コードの一部のフィラメントに集束不良箇所が見受けられる。
×：  繊維コードのフィラメントに集束不良が発生しており、集束していない。
【００９１】
［実施例１］
（エポキシ処理した高弾性繊維Ａ）
高弾性率繊維Ａとして芳香族ポリアミド繊維を準備した。まず紡糸用溶液としてコポリパラフェニレン・３，４’−オキシジフェニレン・テレフタルアミド（共重合モル比が１：１の全芳香族ポリアミド）の濃度６重量％Ｎ−メチルピロリドン（以下、ＮＭＰと称する）溶液を準備した。紡糸用溶液を、紡糸口金から吐出し、エアギャップを介して、ＮＭＰ濃度３０重量％の５０℃の水溶液で満たされた凝固浴中に紡出し、凝固糸を得た後、水浴にて水洗し、乾燥を実施した。
【００９２】
その後、温度５２０℃下で１１倍に延伸した後、グリセロールポリグリシジルエーテル（ナガセケムテックス株式会社製「デナコールＥＸ−３１３」）１７．５ｇに界面活性剤としてジオクチルスルフォサクシネートナトリウム塩（第一工業製薬（株）製「ネオコールＳＷ−３０」）１４．５ｇ、ピペラジン４ｇ、水６５６．２ｇから成る固形分濃度３．７重量％のエポキシ溶液で表面処理し、乾燥後、巻き取りを実施することにより、単糸表面にエポキシ化合物が処理された芳香族ポリアミド繊維（コポリパラフェニレン・３、４’−オキシジフェニレンテレフタルアミド繊維）を得た。
【００９３】
得られた芳香族ポリアミド繊維の物性は、１６７０ｄｔｅｘ、１０００本のフィラメントで、引張強度２４．５ｃＮ／ｄｔｅｘ、破断伸度４．５％、引張弾性率５３０ｃＮ／ｄｔｅｘであった。
【００９４】
（レゾルシン・ホルマリン・ラテックス樹脂処理液）
レゾルシン／ホルマリン（Ｒ／Ｆ）のモル比が１／０．６であるレゾルシン−ホルマリン初期縮合物（スミカノール７００Ｓ、住友化学株式会社製、濃度６５重量％）１９．８ｇを、水１５４．５ｇに１０％苛性ソーダ水５．０ｇと２０％アンモニア水１９．９ｇを加えたアルカリ水溶液に溶解し、これにビニルピリジン−スチレン−ブタジエンゴムラテックス（「ニポール２５１８ＦＳ」、日本ゼオン株式会社製、濃度４０重量％）４１５ｇと水３６８．９ｇを添加した。この液に、３７％ホルマリン水１６．８ｇ、およびメチルエチルケトンオキシムブロックジフェニルメタンジイソシアネート（「ＤＭ６４００」、明成化学工業株式会社製、濃度４２％）を添加し、２０℃で４８時間熟成して、固形分濃度２０重量％のレゾルシン・ホルマリン・ラテックス樹脂を含む水分散体（レゾルシン・ホルマリン・ラテックス樹脂処理剤あるいはＲＦＬ接着剤）を調製した。
【００９５】
（ゴム成分処理液）
クロロスルホン化ポリエチレンゴム固形分１６５ｇと、酸化亜鉛３０ｇと、カーボンブラック５ｇと、添加剤としてεカプロラクタムブロックドジフェニルメタンジイソシアネート固形分１００ｇと、水７００ｇとを混合し、固形分濃度３０重量％の水系分散体（ゴム成分処理液）とした。
【００９６】
（撚糸処理）
上記のエポキシ処理された１６７０ｄｔｅｘ／１０００フィラメントの芳香族ポリアミド繊維を、コンピュートリーター処理機（ＣＡリッツラー製ディップコード処理機）を用いて、上記のレゾルシン・ホルマリン・ラテックス樹脂処理剤中に浸漬処理した後、１３０℃で２分間乾燥し、引き続き２３５℃で１分間熱処理を行い、ＲＦＬ処理された芳香族ポリアミド繊維を得た。
【００９７】
また、１４００ｄｔｅｘ／２１０フィラメントのナイロン６６繊維（旭化成株式会社、「レオナＴ５」）について、上記の芳香族ポリアミド繊維と同様に、コンピュートリーター処理機（ＣＡリッツラー製ディップコード処理機）を用いて、上記のレゾルシン・ホルマリン・ラテックス樹脂処理剤中に浸漬処理した後、１３０℃で２分間乾燥し、引き続き２３５℃で１分間熱処理をした。
【００９８】
上記の芳香族ポリアミド繊維とナイロン６６繊維とを、それぞれにＺ方向に撚り係数２．４（２００回／ｍ）の下撚りを掛け、芳香族ポリアミド繊維の下撚り糸２本と、ナイロン６６繊維の下撚り糸１本ついて、３本合せてＳ方向に撚り係数３．７（１８０回／ｍ）の上撚りを施して撚糸コードを得た。
【００９９】
次いで、再度コンピュートリーター処理機（ディップコード処理機）を用いて、上記で得られた撚糸コードを、上記の酸化亜鉛とカーボンブラックを含むゴム成分処理液（固形分濃度３０重量％）に浸漬した後に、定長で１５０℃、１２０秒間の乾燥を行い、最表面層にゴム成分の被膜（オーバーコート）を有する複合繊維コードを得た。複合繊維コードの処理条件を表１に、得られた複合繊維コードの評価結果を表２に示す。
【０１００】
［実施例２］
最後の上撚りを撚り係数３．７（１８０回／ｍ）から、撚り係数２．４（１１５回／ｍ）で施した以外は実施例１と同様にして複合繊維コードを得た。複合繊維コードの処理条件を表１に、得られた複合繊維コードの評価結果を表２に、まとめて示す。
【０１０１】
［実施例３］
芳香族ポリアミド繊維とナイロン６６繊維のそれぞれの下撚りの撚り係数を２．４（２００回／ｍ）から１．８（１５０回／ｍ）に変更し、さらに上撚りの撚り係数を３．７（１８０回／ｍ）から、３．１（１５０回／ｍ）とした以外は、実施例１と同様にして複合繊維コードを得た。複合繊維コードの処理条件を表１に、得られた複合繊維コードの評価結果を表２に、まとめて示す。
【０１０２】
［比較例１］
芳香族ポリアミド繊維とナイロン６６繊維のそれぞれの下撚りの撚り係数を２．４（２００回／ｍ）から１．０（８０回／ｍ）に変更し、さらに上撚りの撚り係数を３．７（１８０回／ｍ）から、１．７（８０回／ｍ）とした以外は、実施例１と同様にして複合繊維コードを得た。複合繊維コードの処理条件を表１に、得られた複合繊維コードの評価結果を表２に、まとめて示す。
【０１０３】
［比較例２］
芳香族ポリアミド繊維とナイロン６６繊維のそれぞれの下撚りの撚り係数を２．４（２００回／ｍ）から４．０（３３０回／ｍ）に変更し、さらに上撚りの撚り係数を３．７（１８０回／ｍ）から、６．８（３３０回／ｍ）とした以外は、実施例１と同様にして複合繊維コードを得た。複合繊維コードの処理条件を表１に、得られた複合繊維コードの評価結果を表２に、まとめて示す。
【０１０４】
［比較例３］
芳香族ポリアミド繊維の下撚り糸２本と、ナイロン６６繊維の下撚り糸１本を用いる代わりに、芳香族ポリアミド繊維の下撚り糸３本のみを使用した以外は、実施例１と同様にして、実施例１と同様に下撚りの撚り係数を２．４（２００回／ｍ）、上撚りの撚り係数を３．８（１８０回／ｍ）とする複合繊維コードを得た。複合繊維コードの処理条件を表１に、得られた複合繊維コードの評価結果を表２に、まとめて示す。
【０１０５】
【表１】
2019157298.tif 000002
【０１０６】
【表２】
2019157298.tif 000003
【０１０７】
実施例１〜３は、強度、耐屈曲疲労性、耐ほつれ性およびゴム接着性の全てを満足する複合コードであった。また、０〜２％程度の低伸長領域では比較的低い弾性率を示す一方で、３％以上の高伸長領域では芳香族ポリアミド繊維由来の高い弾性率を示す性質を有するため、加硫時の成形性に優れると共に、抗張力体としても優れた性能を有する複合繊維コードであった。